(57)【要約】【課題】ネジ付きキャップを備えた容器と、該容器を載置するための載置体とから成るユニットを提供する。【解決手段】容器本体(3)の上部開口縁にネジ手段(5)を介してキャップ(6)を着脱自在に螺着した容器(1)と、前記容器を起立姿勢で載置させる載置体(2)とから成り、前記載置体(2)は、起立姿勢とされた容器本体(3)の下端部を支持する支持部(15)に臨んで被係止手段(18)を設け、前記容器本体(3)は、起立姿勢として下端部を前記支持部(15)に載置したとき前記被係止手段(18)に係止する係止手段(19)を設けており、前記係止手段(19)と被係止手段(18)は、前記ネジ手段(5)の回動方向に対して容器本体(3)を回動不能に係止するように構成されている。【選択図】図４
2013256313.tif 000002
【特許請求の範囲】
【請求項１】
容器本体(3)の上部開口縁にネジ手段(5)を介してキャップ(6)を着脱自在に螺着した容器(1)と、前記容器を起立姿勢で載置させる載置体(2)とから成り、
前記載置体(2)は、起立姿勢とされた容器本体(3)の下端部を支持する支持部(15)に臨んで被係止手段(18)を設け、
前記容器本体(3)は、起立姿勢として下端部を前記支持部(15)に載置したとき前記被係止手段(18)に係止する係止手段(19)を設けており、
前記係止手段(19)と被係止手段(18)は、前記ネジ手段(5)の回動方向に対して容器本体(3)を回動不能に係止するように構成されて成ることを特徴とする容器及び載置体のユニット。
【請求項２】
前記載置体(2)は、容器本体(3)の下端部を挿入保持する上面凹部(16)により前記支持部(15)を構成し、
容器本体(3)の下端部を前記上面凹部(16)に挿入したとき該下端部と上面凹部の間で相互に係合する凹凸手段により前記係止手段(19)と被係止手段(18)を構成して成ることを特徴とする請求項１に記載の容器及び載置体のユニット。
【請求項３】
上面凹部(16)の内側に設けたリブ(18a)により前記被係止手段(18)を構成し、容器本体(3)の下端部に形成された環状の袴部(9)に凹設した切欠き部(19a)により前記係止手段(19)を構成しており、
容器本体(3)の袴部(9)を上面凹部(16)に挿入した状態で、該容器本体(3)を回動することにより、前記切欠き部(19a)をリブ(18a)に対面させ落とし込み嵌合するように構成して成ることを特徴とする請求項２に記載の容器及び載置体のユニット。
【請求項４】
複数の容器と載置体から成るユニットの複数ユニット(U1,U2)を上下積層可能に構成し、
各載置体(2)は、上面に複数の支持部(15)を縦横に配置すると共に、該支持部に対応する下面に複数の下面凹部(17)を縦横に配置しており、
上層ユニット(U2)における載置体(2)の下面凹部(17)を下層ユニット(U1)における載置体(2)に起立保持された複数容器のキャップ(6)に嵌合保持するように構成して成ることを特徴とする請求項１、２又は３に記載の容器及び載置体のユニット。
【請求項５】
種別された複数の容器と載置体から成るユニットにおいて、
同種の容器(1A,1B)(1C,1D)に属する容器本体の係止手段(19A,19B)(19C,19D)と、該同種の容器本体を起立保持する同種の支持部(15A,15B)(15C,15D)に属する被係止手段(18A,18B)(18C,18D)の間において、相互に係止可能な同種適合手段を構成し、
異種の容器と異種の支持部の間においては、係止手段と被係止手段を相互に係止不能とするように構成して成ることを特徴とする請求項１、２、３又は４に記載の容器及び載置体のユニット。
【発明の詳細な説明】
【技術分野】
【０００１】
本発明は、ネジ付きキャップを備えた容器と、該容器を載置するための載置体とから成るユニットに関する。
【背景技術】
【０００２】
例えば、医療機関の生検等においては、採取した臓器等の検体を容器に保管した状態で検査室に運搬移送し、病理検査が行われる。
【０００３】
この際、容器は、薬液等が充填される関係上、優れた密閉性が必要とされ、従って、ネジ付きのキャップにより閉蓋されるのが通例である。
【先行技術文献】
【特許文献】
【０００４】
【特許文献１】特開２００４−１９４５３９号公報
【発明の概要】
【発明が解決しようとする課題】
【０００５】
上述のような生検の場合、通常、同一患者から採取した複数の検体が複数の容器に保管され、複数患者に対応する多数の容器が検査室に運搬移送され、病理検査を受ける。
【０００６】
このため、検査室における病理検査は、多忙を極め、容器の開蓋等の作業には迅速性が強く求められる。
【０００７】
しかしながら、上述のようなネジ付きキャップを備えた容器の開蓋は、一方の手で容器を取り上げて保持し、他方の手でキャップを回す必要があり、作業が煩雑である。
【０００８】
特に、作業者は、一方の手に筆記具を持ち、必要事項を記入しながら、他方の片手だけで容器の開蓋を行う無理な作業を強いられる場合が多く、誤って容器を落下し、検体及び薬液を飛散するおそれがある。
【課題を解決するための手段】
【０００９】
本発明は、ネジ付きキャップを備えた容器の開蓋を片手で簡単迅速に行うことができると共に、複数の容器を載置した状態で運搬移送に便利とした容器及び載置体のユニットを提供するものである。
【００１０】
そこで、本発明が手段として構成したところは、容器本体の上部開口縁にネジ手段を介してキャップを着脱自在に螺着した容器と、前記容器を起立姿勢で載置させる載置体とから成り、前記載置体は、起立姿勢とされた容器本体の下端部を支持する支持部に臨んで被係止手段を設け、前記容器本体は、起立姿勢として下端部を前記支持部に載置したとき前記被係止手段に係止する係止手段を設けており、前記係止手段と被係止手段は、前記ネジ手段の回動方向に対して容器本体を回動不能に係止するように構成されて成る点にある。
【００１１】
本発明の実施形態において、前記載置体は、容器本体の下端部を挿入保持する上面凹部により前記支持部を構成し、容器本体の下端部を前記上面凹部に挿入したとき該下端部と上面凹部の間で相互に係合する凹凸手段により前記係止手段と被係止手段を構成している。
【００１２】
この際、上面凹部の内側に設けたリブにより前記被係止手段を構成し、容器本体の下端部に形成された環状の袴部に凹設した切欠き部により前記係止手段を構成し、容器本体の袴部を上面凹部に挿入した状態で、該容器本体を回動することにより、前記切欠き部をリブに対面させ落とし込み嵌合するように構成することが好ましい。
【００１３】
本発明の好ましい実施形態は、複数の容器と載置体から成るユニットの複数ユニットを上下積層可能に構成し、各載置体は、上面に複数の支持部を縦横に配置すると共に、該支持部に対応する下面に複数の下面凹部を縦横に配置しており、上層ユニットにおける載置体の下面凹部を下層ユニットにおける載置体に起立保持された複数容器のキャップに嵌合保持するように構成している。
【００１４】
本発明の実施形態は、種別された複数の容器と載置体から成るユニットにおいて、同種の容器に属する容器本体の係止手段と、該同種の容器本体を起立保持する同種の支持部に属する被係止手段の間において、相互に係止可能な同種適合手段を構成し、異種の容器と異種の支持部の間においては、係止手段と被係止手段を相互に係止不能とするように構成することが可能である。
【発明の効果】
【００１５】
本発明によれば、容器本体３は、載置体２の上で、係止手段１９と被係止手段１８の係止によりネジ手段５の回動方向に対する回動を阻止した状態で固定保持されているので、容器１を起立姿勢としたままの状態で、片手でキャップ６を回動することにより簡単容易にネジ手段５を外すことができ、開蓋作業を迅速容易に行うことが可能になる。
【００１６】
この際、請求項２及び請求項３に記載の本発明によれば、容器本体３の下端部を載置体２の上面凹部１６に挿入保持させるように構成すると共に、切欠き部１９ａとリブ１８ａによる凹凸手段により係止手段１９と被係止手段１８を形成し、容器本体３の下端部を上面凹部１６に挿入した状態で回動することにより前記係止手段１９と被係止手段１８を対面させ落とし込み嵌合させるように構成しているので、作業者の触感により係止の有無を感知することができ、位置合わせのための煩雑な作業を必要とせず、しかも、多数の容器１を載置体２の支持部１５に起立させた状態で、前記嵌合の有無の確認が容易になるという効果がある。
【００１７】
そして、請求項４に記載の本発明によれば、複数のユニットＵ１、Ｕ２を上下に積層することが可能であり、この際、下層ユニットＵ１の容器１のキャップ６が上層ユニットＵ２の載置体２の下面凹部１７に嵌入されるので、下層ユニットＵ１の容器１を支柱として上層ユニットＵ２を好適に支持することができ、しかも、キャップ６と下面凹部１７の嵌合により、横ズレ移動による積層崩れを好適に防止する。
【００１８】
更に、請求項５に記載の本発明によれば、異種の容器１Ａ、１Ｂ（１Ｃ、１Ｄ）と異種の支持部１５Ａ、１５Ｂ（１５Ｃ、１５Ｄ）の間において、係止手段１９Ａ、１９Ｂ（１９Ｃ、１９Ｄ）と被係止手段１８Ａ、１８Ｂ（１８Ｃ、１８Ｄ）を相互に係止不能とするように構成しているので、異種容器の間において起立保持位置を相互に入れ違える過誤を生じるおそれがない。
【図面の簡単な説明】
【００１９】
【図１】本発明に係る容器及び載置体の１実施形態を示す斜視図である。
【図２】載置体の上面の構成と容器の関係を示す斜視図である。
【図３】載置体の下面の構成と容器の関係を示す斜視図である。
【図４】載置体に容器を起立保持した状態で容器本体からネジ付きキャップを開蓋する作用を示す縦断面図である。
【図５】複数ユニットを上下積層した状態を示す縦断面図である。
【図６】係止手段と被係止手段の間における同種適合手段の実施例に関して、係止手段の横断面で示し、被係止手段を平面視で示しており、（Ａ）（Ｂ）は第１実施例を示す説明図で、（Ｃ）（Ｄ）は第２実施例を示す説明図である。
【発明を実施するための形態】
【００２０】
以下図面に基づいて本発明の好ましい実施形態を詳述する。
【００２１】
＜全体的構成＞
図１ないし図３に示すように、容器１と、該容器１を起立姿勢で載置させる載置体２により、ユニットＵが構成されている。
【００２２】
容器１は、例えば、生検等に関して採取した臓器等の検体を保管するために使用され、容器本体３と、該容器本体３の上部開口縁４にネジ手段５を介して着脱自在に螺着されるキャップ６を備えている。
【００２３】
図示実施形態において、容器本体３は、透明又は半透明とした合成樹脂により上部開口状の円筒体に成形され、上部開口縁４の外周に雄ネジ５ａを形成すると共に下側にフランジ７を備え、下端よりも上方位置に底壁８を設け、該底壁８から下端に向けて円筒状の袴部９を延設している。これに対して、キャップ６は、不透明とした合成樹脂により成形され、内周に雌ネジ５ｂを設けた円環状の胴部１０と、該胴部１０の上部を閉塞する皿板状の頭部１１を備え、雌ネジ５ｂを前記雄ネジ５ａに螺合することにより容器本体３の上部開口縁４に被冠される。この際、胴部１０の外径を大径とし、頭部１１の外径を小径とすることにより、外周に異径段部１２を形成している。尚、図例の場合、雄ネジ５ａを容器本体３に設け、雌ネジ５ｂをキャップ６に設けているが、雌雄ネジを反対の配置構成とすることにより、キャップ６を上部開口縁４にネジ込む形式としても良い。
【００２４】
載置体２は、起立姿勢とした容器１を載置可能とする上面１３と、その反対側の下面１４を有する盤状体を構成し、上面１３に容器本体３の下端部（図示実施形態の場合は袴部９、以下同じ。）を支持する支持部１５を備えている。図示実施形態において、支持部１５は、容器本体３の袴部９を挿入保持する上面凹部１６により構成され、図２に示すように、多数（少なくとも複数）の上面凹部１６が載置体２の上面１３に所定の等間隔をあけて縦横に配置されている。これにより、載置体２は、多数（少なくとも複数）の容器１を起立保持した状態で運搬移送できるキャリヤとして機能する。
【００２５】
図３に示すように、載置体２の下面１４には、容器１のキャップ６の頭部１１を嵌入可能とする下面凹部１７が形成されている。下面凹部１７は、前記上面凹部１６に対応する位置に同心状に設けられ、多数（少なくとも複数）が縦横に配置されている。
【００２６】
＜係止手段と被係止手段＞
上記構成において、載置体２は、前記支持部１５に臨んで被係止手段１８を設け、容器本体３は、起立姿勢として前記支持部１５に載置したとき前記被係止手段１８に係止する係止手段１９を設けており、係止手段１９と被係止手段１８は、ネジ手段５の回動方向に対して容器本体３を回動不能に係止するように構成されている。
【００２７】
前記係止手段１９と被係止手段１８は、容器本体３の下端部を上面凹部１６に挿入したとき、該下端部と上面凹部の間で相互に係合する凹凸手段により構成されている。図示実施形態の場合、上面凹部１６の内側に設けたリブ１８ａにより被係止手段１８を構成し、容器本体３の環状袴部９の縁部に凹設した切欠き部１９ａにより係止手段１９を構成しているが、反対に、容器本体３の下端部に設けた凸状部により係止手段１９を構成し、上面凹部１６に設けた凹状部により被係止手段１８を構成しても良い。
【００２８】
被係止手段１８と係止手段１９を構成するリブ１８ａと切欠き部１９ａは、相互に嵌合可能な構成であれば良いが、図示実施形態の場合、上面凹部１６の底壁に十文字状のリブ１８ａを突設し、これに嵌合する切欠き部１９ａを袴部９の周方向の４個所に形成している。このようなリブ１８ａと切欠き部１９ａの構成によれば、容器本体３の袴部１９を上面凹部１６に挿入した状態で、該容器本体３を回動するだけで、切欠き部１９ａがリブ１８ａに対面すると直ちに落とし込まれ、嵌合させられる。従って、多数の容器１を載置体２に起立保持させ、係止手段１９を被係止手段１８に係止させる際に、作業者の触感により係止の有無を感知できるので、逐一、係止手段１９と被係止手段１８を目視により位置合わせする煩雑な作業を要しない。しかも、多数の容器１を載置体２の支持部１５に起立保持させるとき、切欠き部１９ａとリブ１８ａを嵌合した容器１は、起立高さが低くされる反面、切欠き部１９ａとリブ１８ａを嵌合していない容器１は、起立高さが高くされるので、嵌合有無の確認が容易となる。
【００２９】
＜容器の開蓋作業＞
検体を保管した多数の容器１は、載置体２に起立保持した状態で、該載置体２を運ぶことにより、検査室に運搬移送され、開蓋され、検体の病理検査を受ける。開蓋の作業は、図４に示すように、容器１を載置体２に起立保持させたまま、キャップ６を指先で摘んで回動し、ネジ手段５を外すことによりキャップ６を取外すことができ、開口した容器本体３を支持部１５から取上げれば良い。開蓋作業中、容器本体３は、係止手段１９と被係止手段１８の係止によりネジ手段５の回動方向に対する回動を阻止した状態で固定保持されているので、片手でキャップ６を回動するだけで、簡単容易にネジ手段５を外すことができる。従って、一方の手が筆記具等で使えない場合でも、他方の片手だけで開蓋が可能であり、開蓋作業中に誤って容器本体３を床上に落下するような危険はない。
【００３０】
＜ユニットの積層＞
上記構成によれば、載置体２に多数の容器１を起立保持したユニットＵは、図５に示すように、複数のユニットＵ１、Ｕ２を上下に積層可能とするように構成されている。下層ユニットＵ１に起立保持された容器１の上に上層ユニットＵ２の載置体２を載せると、下層ユニットＵ１の容器１のキャップ６が上層ユニットＵ２の載置体２の下面凹部１７に嵌入される。これにより、下層ユニットＵ１の容器１が支柱となり、上層ユニットＵ２を好適に支持し、しかも、キャップ６と下面凹部１７の嵌合により、横ズレ移動が防止され、ユニットＵの積層体が運搬移送中に崩れるおそれはない。
【００３１】
＜種別された複数容器の識別機能＞
上述のように、生検の場合、通常、同一患者から採取した複数の検体が複数の容器に保管され、複数患者に対応する多数の容器が検査室に移送され、病理検査を受ける。従って、運搬移送の便に供するためには、所望の多数の患者に対応する多数の容器１を１つの載置体２に起立保持させた状態で、同時に運搬移送することが好ましい。この際、容器本体３には、保管された検体の患者名を識別するためのラベルを貼着し、検体の取り違え等の防止に配慮しているが、万一、容器１が載置体２の所定位置と異なる位置に起立保持されるようなことがあると、ラベルの貼り違えの原因や、病理検査時の誤記入の原因になるおそれがあり、重大な過誤を生じる危険がある。
【００３２】
そこで、被係止手段１８と係止手段１９を設けた本発明のユニットＵによれば、図６に示すような同種適合手段を設けることが可能であり、上述のような過誤の発生防止に寄与することができる。
【００３３】
図６（Ａ）（Ｂ）は、同種適合手段の第１実施例を示しており、患者Ａから採取した検体を保管する種類Ａの容器１Ａと、患者Ｂから採取した検体を保管する種類Ｂの容器１Ｂにおいて、それぞれ、係止手段１９Ａ、１９Ｂが設けられており、これらの容器を起立保持させる載置体２は、多数の支持部１５Ａ、１５Ｂのうち、種類Ａの容器１Ａを保持する支持部１５Ａには前記係止手段１９Ａを係止可能とする被係止手段１８Ａを設け、種類Ｂの容器１Ｂを保持する支持部１５Ｂには前記係止手段１９Ｂを係止可能とする被係止手段１８Ｂを設けている。図例の場合、種類Ａの容器１Ａに関する係止手段１９Ａと被係止手段１８Ａは、周方向に等間隔をあけて３個所に設けられた切欠き部とリブにより構成され、種類Ｂの容器１Ｂに関する係止手段１９Ｂと被係止手段１８Ｂは、周方向に等間隔をあけて４個所に設けられた切欠き部とリブにより構成されている。
【００３４】
従って、載置体２の支持部１５Ａ、１５Ｂに対応する上面に、それぞれ種類Ａ、Ｂの識別標識をラベル等で表示しておけば良く、常に必ず、種類Ａの容器１Ａは種類Ａの支持部１５Ａに起立保持され、種類Ｂの容器１Ｂは種類Ｂの支持部１５Ｂに起立保持されることになるので、起立保持位置を相互に入れ違えるような過誤は生じない。
【００３５】
図６（Ｃ）（Ｄ）は、同種適合手段の第２実施例を示しており、種類Ｃの容器１Ｃを所定位置に起立保持させるために、容器１Ｃの係止手段１９Ｃとして形成された切欠き部と支持部１５Ｃの被係止手段１８Ｃとして形成されたリブは、幅ｗ１となるように構成され、これに対して、種類Ｄの容器１Ｄを所定位置に起立保持させるために、容器１Ｄの係止手段１９Ｄとして形成された切欠き部と支持部１５Ｄの被係止手段１８Ｄとして形成されたリブは、幅ｗ２（ｗ２＞ｗ１）となるように構成されている。従って、この場合も、種類Ｃの容器１Ｃと種類Ｄの容器１Ｄの起立保持位置を相互に入れ違えるような過誤を生じることはない。
【符号の説明】
【００３６】
Ｕ  ユニット
１  容器
２  載置体
３  容器本体
４  上部開口縁
５  ネジ手段
６  キャップ
７  フランジ
８  底壁
９  袴部
１０  胴部
１１  頭部
１２  異径段部
１３  載置体の上面
１４  載置体の下面
１５  支持部
１６  上面凹部
１７  下面凹部
１８  被係止手段
１８ａ  リブ
１９  係止手段
１９ａ  切欠き部
【図１】
2013256313.tif 000003
【図２】
2013256313.tif 000004
【図３】
2013256313.tif 000005
【図４】
2013256313.tif 000006
【図５】
2013256313.tif 000007
【図６】
2013256313.tif 000008